(57)【特許請求の範囲】
【請求項１】
患者の術野から出血した血液を再び患者の体内に返血する体外循環血液回路に用いられる血液リザーバであって、
患者の吸引血が送り込まれる吸引血入口を有する吸引血入口側貯血室と、
該吸引血入口側貯血室に隣接されてその一部が該吸引血入口側貯血室の下方に回り込まされた状態に配されて、前記吸引血入口側貯血室から前記吸引血が流入されるよう該吸引血入口側貯血室の側部と前記吸引血入口側貯血室の底部とに連通され、かつ前記吸引血が送出される血液出口を有する出口側貯血室と、
前記吸引血入口側貯血室と前記出口側貯血室との連通部分を前記吸引血の流通を許容しつつ仕切って前記吸引血入口側貯血室から前記出口側貯血室に流入する前記吸引血を濾過するフィルタとを具備し、
該フィルタは、
前記吸引血入口側貯血室と出口側貯血室との側部側の連通部分を仕切る側部フィルタと、前記吸引血入口側貯血室と出口側貯血室との底部側の連通部分を仕切る底部フィルタとを備え、
前記側部フィルタと前記底部フィルタとは一体のシート状フィルタを断面略Ｖ字型が繰り返すプリーツ形状とされ、該プリーツ形状が伸びる方向と直交され側面視Ｌ字型に屈曲された折曲部において前記Ｖ字型をなす山と谷とが反転するように構成されていることを特徴とする血液リザーバ。
【請求項２】
前記フィルタに、該フィルタを支持するフィルタ支持体が設けられていることを特徴とする請求項１に記載の血液リザーバ。
【請求項３】
前記フィルタがポリエステル製であって、直径６０μｍより大きい粒子の濾過率が９０％以上の濾過能力より大きいものであって、直径が５μｍ以下の粒子の濾過率が９０％以上の濾過能力より小さいものであることを特徴とする請求項１又は２に記載の血液リザーバ。
【請求項４】
前記吸引血入口側貯血室に、該吸引血入口側貯血室を下方に行くにつれてその内容積を減じるように仕切る仕切板が設けられていることを特徴とする請求項１から請求項３のいずれか１項に記載の血液リザーバ。
【発明の詳細な説明】
【０００１】
【発明の属する技術分野】
本発明は、患者の術野に出血した血液を再び患者の体内に返血する体外循環血液回路に用いられる血液リザーバに関する。
【０００２】
【従来の技術】
血液リザーバは、心臓外科手術時の体外循環血液回路を構成する内の、患者の術野から出血した血液を取り除いて、患者の手術部位を目視しやすくするため、また出血した血液を吸引回収して再利用を図るために該血液を吸引し濾過し、再び患者の体内に返血する機能の部分と、患者から脱血した血液を一時的に貯留しておく機能の部分である。
なお、体外循環血液回路として、心臓外科手術等の外科手術の際に患者の心肺機能を代行させるために用いられて、患者の体内から脱血される静脈血をポンプによって人工肺に送り込んで人工肺によって静脈血のガス交換を行ったのちに再び患者の体内に動脈血として送血する人工心肺装置などがある。
【０００３】
従来の血液リザーバ４６として、図４に示すものが知られている。
この血液リザーバ４６について説明すると、上部が開口されかつ底部に血液出口４０が設けられる大略箱形状のリザーバケース本体４１に、該リザーバケース本体４１の上部を閉じ、かつ患者の吸引血が送り込まれる吸引血入口４２が設けられるヘッドキャップ４３が取付けられ、ヘッドキャップ４３の下面に、吸引血血入口４２の周囲を一部側方を開口させた状態で囲う仕切板４４が接続され、仕切板４４の開口に、吸引血入口４２からリザーバケース本体４１内に送り込まれる吸引血の流通を許容しつつ前記開口を仕切って流通する吸引血の濾過を行うフィルタ４５が略垂直状態にして設けられているものが知られている。
【０００４】
血液出口４０及び吸引血入口４２は、それぞれ図示せぬチューブが接続されることによって該チューブを介して体外循環血液回路の他の構成部材（図示せず）に連通され、これによって体外循環血液回路の他の構成部材との血液の流入出が行われる。
また、血液リザーバ４６は、仕切板４４とフィルタ４５とによってその内部を吸引血入口４２側の吸引血入口側貯血室４７と血液出口４０側の出口側貯血室４８とに仕切られている。
フィルタ４５は、吸引血入口側貯血室４７内から出口側貯血室４８側に流通される患者の吸引血中に含まれる血栓等の異物の濾過を行うものであって、フィルタ４５の吸引血入口側貯血室４７には、吸引血入口側貯血室４７内に送り込まれた患者の吸引血中に含まれる気泡を消泡する消泡手段４９が配されている。
【０００５】
仕切板４４は、ヘッドキャップ４３の吸引血入口から送り込まれる吸引血をすばやくかつスムーズにフィルタ４５へ導くため、またフィルタ４５が目詰まりを起こした際に吸引血入口側貯血室４７内に貯留される吸引血の量を減少させるために、その下端がフィルタ４５に向けてスロープ状に形成されている。
また、仕切板４４は、ここでは図示しないが、リザーバケース本体４１の底面及び内側壁との間に吸引血の流通を許容する空間を形成した状態でヘッドキャップ４３及びリザーバケース本体４１内部に取付けられている。
また患者からの静脈血を脱血したライン（図示せず）は静脈血入口Ｖ１につながっている。
【０００６】
【発明が解決しようとする課題】
上述の血液リザーバ４６においては、次の問題があった。すなわち、通常の吸引血流量のように吸引血入口側貯血室４７内に送り込まれる吸引血の流量が少ない場合には吸引血入口側貯血室４７内で一時貯留される吸引血の液面も低い位置、例えば図４においてはＳ１の位置となる。しかし、このような場合にはフィルタ４５の下側の部分だけが吸引血の濾過に使用されることとなる。このため、フィルタ４５の濾過に使用される面積（以下、実使用面積と呼ぶ）に対してフィルタ４５によって濾過される吸引血の量が多くなるので、フィルタ４５の下側部分ははやく目詰まりして濾過能力が落ちてしまう。
このようにしてフィルタ４５の下側部分が目詰まりして濾過能力が落ちると、吸引血入口側貯血室４７内に送り込まれる吸引血の量に比べてフィルタ４５を通じて吸引血入口側貯血室４７から出口側貯血室４８に流通される吸引血の量が少なくなり、吸引血が吸引血入口側貯血室４７内で滞留して吸引血入口側貯血室４７の吸引血の液面が上昇する。
そして、このように吸引血入口側貯血室４７内の吸引血の液面が上昇することによって、吸引血入口側貯血室４７内の吸引血はフィルタ４５の目詰まりした部分よりも上側の部分によって濾過されるようになる。
【０００７】
しかし、このようにフィルタ４５の下方からの目詰まりと吸引血の液面の上昇とが交互に繰り返されることで、次第に吸引血入口側貯血室４７内に滞留する吸引血の量も増大してしまう。つまり、いわゆるダイナミックプライミングボリュームが増加してしまう。このため、患者の体内から持ち出される血液の量が増加して患者に負担を与える要因となってしまう。また、吸引血入口側貯血室４７内に滞留した吸引血は、フィルタ４５が目詰まりしているために回収することが困難であり、最終的に血液リザーバ４６内に残留する吸引血の量が多くなり、やはり患者に負担を与える要因となってしまう。
【０００８】
本発明は、上記事情に鑑みてなされたもので、患者の体内から持ち出される血液の量が低減され、かつ吸引血の回収効率が向上された血液リザーバを提供することを目的とする。
【０００９】
【課題を解決するための手段】
本発明の請求項１記載の血液リザーバにおいては、患者の術野から出血した血液を再び患者の体内に返血する体外循環血液回路に用いられる血液リザーバであって、患者の吸引血が送り込まれる吸引血入口を有する吸引血入口側貯血室と、該吸引血入口側貯血室に隣接されてその一部が該吸引血入口側貯血室の下方に回り込まされた状態に配されて、前記吸引血入口側貯血室から前記吸引血が流入されるよう該吸引血入口側貯血室の側部と前記吸引血入口側貯血室の底部とに連通され、かつ前記吸引血が送出される血液出口を有する出口側貯血室と、前記吸引血入口側貯血室と前記出口側貯血室との連通部分を前記吸引血の流通を許容しつつ仕切って前記吸引血入口側貯血室から前記出口側貯血室に流入する前記吸引血を濾過するフィルタとを具備し、該フィルタは、前記吸引血入口側貯血室と出口側貯血室との側部側の連通部分を仕切る側部フィルタと、前記吸引血入口側貯血室と出口側貯血室との底部側の連通部分を仕切る底部フィルタとを備え、前記側部フィルタと前記底部フィルタとは一体のシート状フィルタを断面略Ｖ字型が繰り返すプリーツ形状とされ、該プリーツ形状が伸びる方向と直交され側面視Ｌ字型に屈曲された折曲部において前記Ｖ字型をなす山と谷とが反転するように構成されていることを特徴とする
【００１２】
請求項２記載の血液リザーバにおいては、請求項１記載の血液リザーバであって、前記フィルタに、該フィルタを支持するフィルタ支持体が設けられていることを特徴とする。
【００１３】
請求項３記載の血液リザーバにおいては、請求項１又は２に記載の血液リザーバであって、前記フィルタがポリエステル製であって、直径６０μｍより大きい粒子の濾過率が９０％以上の濾過能力より大きいものであって、直径が５μｍ以下の粒子の濾過率が９０％以下より濾過能力が小さいものであることを特徴とする。
【００１４】
請求項４記載の前記血液リザーバにおいては、請求項１から請求項３のいずれか１項に記載の血液リザーバであって、前記吸引血入口側貯血室に、該吸引血入口側貯血室の下方に行くにつれてその内容積が減じられるように仕切る仕切板が設けられていることを特徴とする。
【００１５】
このように構成される血液リザーバでは、フィルタが、吸引血入口側貯血室と出口側貯血室との側部側の連通部分を仕切る側部フィルタと、吸引血入口側貯血室と出口側貯血室との底部側の連通部分を仕切る底部フィルタとによって構成されるので、吸引血入口側貯血室に送り込まれる吸引血が少量であっても底部フィルタの面積の分だけフィルタの実使用面積を大きくとることができる。
【００１６】
【発明の実施の形態】
以下、本発明における血液リザーバの実施の形態について説明する。
血液リザーバ１は、図１に示すように、上部が開口されかつ底部に血液出口２が設けられる大略箱形状のリザーバケース本体３に、該リザーバケース本体３の上部を閉じ、かつ患者の吸引血が送り込まれる吸引血入口４が設けられるヘッドキャップ５が取り付けられ、ヘッドキャップ５の下面に、吸引血入口４の周囲を一部側方及び下方を開口させた状態で囲う仕切板６が接続され、仕切板６の側方側の開口及び下方側の開口に、吸引血入口４からリザーバケース本体３内に送り込まれる吸引血の流通を許容しつつ前記これらの開口を仕切って流通する吸引血の濾過を行う側面視略Ｌ字形状のフィルタ７を設けたものである。
なお、血液リザーバ１は、仕切板６とフィルタ７とによってその内部を吸引血入口４側の吸引血入口側貯血室１０と血液出口２側の出口側貯血室１１とに仕切られている。
出口側貯血室１１は、吸引血入口側貯血室１０のフィルタ７側に隣接するように形成される縦空間１１ａと、吸引血入口側貯血室１０の下方に回り込んだ状態に形成される横空間１１ｂと、縦空間１１ａと吸引血入口側貯血室１０をまたいで反対側に形成される前部空間１１ｃとによって構成され、縦空間１１ａと横空間１１ｂは、吸引血入口側貯血室１０から吸引血が流入されるよう吸引血入口側貯血室１０の側部と底部にそれぞれ連通される。
なお、この明細書では、仕切板６の側方側の開口する向き、すなわち図１においては左側を後方とし、開口する向きと反対側の向き、すなわち図１においては右側を前方とする。
【００１７】
リザーバケース本体３は、その底面が後方側に向けて傾斜されており、またその後方側の底面は下方に向けて突出した形状に成形され、該突出部の先端には血液出口２が形成されている。また、リザーバケース本体３の底面には、前記突出部の前方側に、フィルタ７の下に回り込むようにして形成される段部が設けられ、該段部によって横空間１１ｂが形成される。
ヘッドキャップ５は、前方側に複数の吸引血入口４が形成されており、また、吸引血入口４の他にも輸血、輸液、薬液注入のためのチューブや吸引手段としてはローラポンプの使用の他に血液リザーバ１内の雰囲気を吸引して血液リザーバ内を大気圧に対して陰圧にする吸引ポンプ（図示せず）につながるチューブ等が接続される接続口を設けてもよい。
これらリザーバケース本体３及びヘッドキャップ５に設けられる吸引血入口４は、それぞれ図示せぬチューブが接続されることによって該チューブを介して体外循環血液回路の他の構成部材（図示せず）に連通され、患者からの静脈血ラインは静脈血入口Ｖ２などに連通され、これによって体外循環血液回路の他の構成部材との血液の流出入が行われる。
【００１８】
フィルタ７は、図１に示すように、吸引血入口側貯血室１０内から出口側貯血室１１側に流通される患者の吸引血中に含まれる血栓等の異物の濾過を行うものであって、仕切板６の側方側の開口を仕切る側部フィルタ７ａと、仕切板６の下方側の開口を仕切る底部フィルタ７ｂとによって側面視略Ｌ字形状に形成される部材である。なお、フィルタ７は、その両面をフィルタ支持体１２（後述）によって覆われているが、図１においては、便宜上フィルタ支持体１２も含めて符号７及び７ａ、７ｂとして表している。これら側部フィルタ７ａと底部フィルタ７ｂは、図２に示すように、一枚のシート状のフィルタ７を折り曲げることによって一体的に形成されるものである。また、これら側部フィルタ７ａ及び底部フィルタ７ｂは、吸引血の濾過に使用される面積を大きくするために、シート状フィルタを断面略Ｖ字型が繰り返すプリーツ形状とされ、該プリーツ形状が伸びる方向と直交され側面視Ｌ字型に屈曲された折曲部においてＶ字型をなす山と谷とが反転するように構成されている。なお、フィルタ７の表面積は、フィルタ７の目詰まりに対する余裕を考慮して１００cm2以上が望ましく、またフィルタ７の製造コストの上昇及びフィルタ７を収容する血液リザーバ１自体のサイズの大型化による患者からの血液持ち出し量が増加するなどの不都合を避けるために２０００cm2以下であることが望ましい。
【００１９】
フィルタ７は、安全性や生体適合性を考慮してポリエステル製のスクリーンまたは不織布が用いられ、その濾過能力が直径６０μｍより大きい粒子の濾過率が９０％以上より大きいものであって、直径が５μｍ以下の粒子の濾過率が９０％以上より小さいものであるものが好適に使用される。
また、フィルタ７は、吸引血を濾過する際に加わる圧力によって移動してしまわないように補強し、そのプリーツ形状を維持し、またフィルタ７同士接触せず、吸引血をフィルタ７に均等に流すために、そのフィルタ７の両面もしくは片面を、フィルタ７より十分に目のあらいメッシュ状のフィルタ支持体１２によって挟まれた状態で支持され、この状態で仕切板６の開口に取り付けられる。なお、フィルタ支持体１２の材質は、ポリエチレンまたはポリプロピレンなどである。なお、フィルタ７の吸引血入口側貯血室１０側には、吸引血入口側貯血室１０内に送り込まれた患者の吸引血中に含まれる気泡を消泡する網状の消泡手段１３が配されている。
【００２０】
仕切板６は、ヘッドキャップ５の吸引血入口から送り込まれる吸引血をすばやくかつスムーズにフィルタ７へ導くため、またフィルタ７が目詰まりを起こした際に吸引血入口側貯血室１０内に貯留される吸引血の量を減少させるために、前方側の側壁部分が、底部フィルタ７ｂの上面に沿って側部フィルタ７ａの下端近傍まで突出され、かつ吸引血入口４の直下から側部フィルタ７ａの下端近傍に向けてスロープ状に形成されている。
なお、仕切板６は、図３に示すように、リザーバケース本体３の側壁内面との間に吸引血の流通を許容する隙間を形成した状態でヘッドキャップ５及びリザーバケース本体２内部に取付けられている。
【００２１】
以下、このように構成される血液リザーバ１の使用法について説明する。
まず、血液リザーバ１と体外循環血液回路の他の構成部材との血液の流出入を行うために、血液リザーバ１の血液出口２及び吸引血入口４に図示せぬチューブを接続し、該チューブを介して体外循環血液回路の他の構成部材（図示せず）に連通させる。
続いて、体外循環血液回路の他の構成部材から、吸引血入口４を通じて血液リザーバ１の吸引血入口側貯血室１０内に吸引血を送り込む。
なお、吸引血を送り込む方法は、体外循環血液回路により、外部からローラポンプ等によって送り込む方法や、血液リザーバ１に吸引ポンプを接続して血液リザーバ１内を陰圧にし、これによって血液リザーバ１内に血液を吸引する方法など、通常の血液リザーバに用いられる方法と同じ方法が用いられる。また、患者からの静脈血ライン（図示せず）は静脈血入口Ｖ２につながっている。
【００２２】
このようにして吸引血入口４を通じて吸引血入口側貯血室１０内に送り込まれた吸引血は、仕切板６の前方側のスロープ形状に形成される側壁部分に案内されてフィルタ７まで導かれ、消泡手段１３によって吸引血中に含まれる気泡を消泡されつつ、側部フィルタ７ａの下端近傍及び底部フィルタ７ｂによって濾過されて血液出口側に流入する。
なお、吸引血入口側貯血室１０は、仕切板６がスロープ形状に形成されていることによって下方に行くにつれてその内容積が減じられるように仕切られており、これによりフィルタ７が目詰まりを起こした際に吸引血入口側貯血室１０内に貯留される吸引血の量が少なくなるよう図られている。
そして、吸引血入口側貯血室１０内に送り込まれた吸引血は、側部フィルタ７ａの吸引血入口側貯血室１０内で一時貯留される吸引血の液面以下の部分に加えて底部フィルタ７ｂによっても吸引血の濾過が行われる。
また、吸引血入口側貯血室１０内に送り込まれる吸引血の量が少ない場合にも、側部フィルタ７ａの下端近傍部分に加えて底部フィルタ７ｂによっても吸引血の濾過が行われる。
そしてフィルタ７ａによって濾過された吸引血は、出口側貯血室１１の縦空間１１ａ及び横空間１１ｂ内に流入して出口側貯血室内１１内に一時的に貯留される。
なお、出口側貯血室１１は、図３に示すように、仕切板６とリザーバケース本体３の側壁内面との間に形成される隙間によって縦空間１１ａと前部空間１１ｃとが連通されているので、吸引血はリザーバケース本体３内全体で貯留される。そして、出口側貯血室１１内に貯留される吸引血は、血液出口２を通じて体外循環血液回路の他の構成部材に送出される。
【００２３】
このように構成される血液リザーバ１によれば、吸引血入口側貯血室１０内に送り込まれる吸引血の流量が少ない場合にも、側部フィルタ７ａの下端近傍部分に加えて底部フィルタ７ｂによっても吸引血の濾過が行われるので、フィルタ７の実使用面積が大きくなる。これによってフィルタ７が目詰まりしにくくなり、従来の血液リザーバに比べてダイナミックプライミングボリュームを小さくできる。
また、吸引血入口側貯血室１０内に送り込まれる吸引血の流量が多い場合にも、フィルタ７の実使用面積が大きくなるために単位時間内に濾過できる吸引血の量が多くなり、体外循環によって吸引血入口側貯血室１０内に吸引血が次々に送り込まれてきても、従来の血液リザーバに比べて吸引血入口側貯血室１０内の吸引血の液面の上昇を抑えることができ、患者の体内から持ち出される血液の量を低減することができる。
また、フィルタ７が目詰まりしにくくなることによって側部フィルタ７ａが低い位置までしか目詰まりしないので、体外循環の終了時に吸引血入口側貯血室１０内に取り残される血液の量を少なくして患者に与える負担を低減することができる。
【００２４】
また、側部フィルタ７ａと底部フィルタ７ｂが一体的に形成されるので、フィルタ７の製造にかかるコストを低減することができる。
また、フィルタ７がプリーツ形状に形成されるので、フィルタ７と吸引血の接触面積を大きくすることができ、フィルタ７の実使用面積も大きくすることができる。
また、フィルタ７にフィルタ支持体１２が設けられているので、フィルタ７が補強されるとともに、フィルタ７のプリーツ形状が維持される。
【００２５】
また、フィルタ７としてポリエステル製のスクリーンまたは不織布が用いられ、その濾過能力は直径６０μｍより大きい粒子の濾過率が９０％以上より大きいものであって、直径が５μｍ以下の粒子の濾過率が９０％以上より小さいものであるので、安全性や生体適合性が確保されるとともに、直径が５μ以下の粒子である吸引血中の有用血球成分を残しつつ、直径６０μｍより大きい粒子である血栓等の異物を濾過することができる。
【００２６】
また、吸引血入口側貯血室１０が、仕切板６がスロープ形状に形成されていることによって吸引血入口側貯血室１０下方に行くにつれてその内容積が減じられるように仕切られており、これによって吸引血入口側貯血室１０内に貯留される吸引血の量が少なくなるよう図られているので、患者の体内から持ち出す血液量を低減することができ、患者に与える負担を低減することができる。
【００２７】
なお、上記実施の形態では、血液リザーバ１として箱形状の血液リザーバ１を用いた例を示したが、これに限られることなく、略円筒形状の血液リザーバ１を用いても構わない。この場合には、吸引血入口側貯血室１０も略円筒形状に形成し、フィルタ７は略有底円筒形状に形成されて吸引血入口側貯血室１０の周囲を覆うように配されるものとする。
なお、上記実施の形態では、フィルタ７を吸引血を濾過するサクションフィルタに用いた例を示したが、これに限られることなく、例えば人工心肺装置の人工肺の後段に設けられて人工肺から送出されるガス交換後の血液を濾過する動脈フィルタに応用しても構わない。
【００２８】
【発明の効果】
請求項１記載の血液リザーバによれば、吸引血入口側貯血室内に送り込まれる吸引血の流量が少ない場合にも、側部フィルタの下端近傍部分に加えて底部フィルタによっても吸引血の濾過が行われるので、フィルタの実使用面積が大きくなる。これによってフィルタが目詰まりしにくくなり、従来の血液リザーバに比べてダイナミックプライミングボリュームを小さくできる。また、吸引血入口側貯血室内に送り込まれる吸引血の量が多い場合にも、フィルタの実使用面積が大きくなるために単位時間内に濾過できる吸引血の量が多くなり、体外循環によって吸引血入口側貯血室内に吸引血が次々に送り込まれてきても、従来の血液リザーバに比べて吸引血入口側貯血室内の吸引血の液面の上昇を抑えることができ、患者の体内から持ち出される血液の量を低減することができる。また、フィルタ７が目詰まりしにくくなることによって側部フィルタ７ａが低い位置までしか目詰まりしないので、体外循環の終了時に吸引血入口側貯血室内に取り残される血液の量を少なくして患者に与える負担を低減することができる。また、側部フィルタと前記底部フィルタとは一体のシート状フィルタを断面略Ｖ字型が繰り返すプリーツ形状とされ、該プリーツ形状が伸びる方向と直交され側面視Ｌ字型に屈曲された折曲部において前記Ｖ字型をなす山と谷とが反転するように構成されることによってフィルタの製造が容易になり、フィルタの製造コストと組立のコストを低減することができる。また、フィルタがプリーツ形状をしているので、フィルタと入口側貯血槽内の吸引血との接触面積を大きくしてフィルタの実使用面積を大きくすることができる。
【００３１】
請求項２記載の血液リザーバによれば、フィルタがフィルタ支持体によって支持されるので、フィルタが補強されるとともに、フィルタのプリーツ形状を維持することができる。
【００３２】
請求項３記載の血液リザーバによれば、フィルタとしてポリエステル製のスクリーンまたは不織布が用いられ、その濾過能力は直径６０μｍより大きい粒子の濾過率が９０％以上より大きいものであって、直径が５μｍ以下の粒子の濾過率が１０％以上より小さいものであるので、安全性や生体適合性が確保されるとともに、直径が５μ以下の粒子である血液中の有用血球成分を残しつつ、直径６０μｍより大きい粒子である異物を濾過することができる。
【００３３】
請求項４記載の血液リザーバによれば、仕切板によって吸引血入口側貯血室の内容積が下方に行くほど減じられているので、吸引血入口側貯血室内に滞留する吸引血の量を減じることができ、患者の体内から持ち出される血液の量を低減して患者にかかる負担を低減することができる。
【図面の簡単な説明】
【図１】  本発明の実施の形態における血液リザーバの構成及び構造を示す側断面図である。
【図２】  本発明の実施の形態における血液リザーバのフィルタの構成及び構造を示す斜視図である。
【図３】  本発明の実施の形態における血液リザーバの構成及び構造を示す平断面図である。
【図４】  従来の血液リザーバの構成及び構造を示す側断面図である。
【符号の説明】
１  血液リザーバ              ２  血液出口
３  リザーバケース本体        ４  吸引血入口
５  ヘッドキャップ            ６  仕切板
７  フィルタ
【図１】
0004162315.tif 000002
【図２】
0004162315.tif 000003
【図３】
0004162315.tif 000004
【図４】
0004162315.tif 000005